(57)【要約】【課題】温水暖房端末装置に対する運転予約の設定作業性に優れた、使い勝手のよい温水暖房システムを提供する。【解決手段】屋外に設置された温水暖房熱源機１０と、この温水暖房熱源機１０によって生成された温水を利用して、１階居間Ｒ１、２階寝室Ｒ２及び浴室Ｒ３をそれぞれ暖房する温水暖房端末装置２０、３０、４０とを備えている。温水暖房端末装置２０、３０、４０は、予め設定した時間帯において、自動的に暖房を行う予約運転が可能であり、こういった予約運転を行うための運転予約の設定は、それぞれの温水暖房端末操作リモコン２１、３１、４１だけでなく、熱源機操作リモコン１１によっても行うことができるようになっている。なお、一旦設定された運転予約は、温水暖房端末操作リモコン２１、３１、４１または熱源機操作リモコン１１のいずれによっても、解除することができるようになっている。【選択図】　　　　図１
2004101046.tif 000002
【特許請求の範囲】
【請求項１】
所定の室内に設置される温水暖房端末装置と、
前記温水暖房端末装置に温水を供給する温水暖房熱源機と、
前記温水暖房端末装置を操作すると共に、前記温水暖房端末装置の運転予約の設定またはその解除を行う端末操作手段と、
前記温水暖房熱源機を操作する熱源操作手段と
を備えた温水暖房システムにおいて、
前記熱源操作手段によって、前記温水暖房端末装置の運転予約の設定またはその解除を行うことができるようにしたことを特徴とする温水暖房システム。
【請求項２】
前記温水暖房熱源機と前記熱源操作手段とが、第１の通信手段を介して、相互に通信可能に接続されており、
前記温水暖房熱源機と前記温水暖房端末装置とが、第２の通信手段を介して、相互に通信可能に接続されている請求項１に記載の温水暖房システム。
【請求項３】
前記端末操作手段または前記熱源操作手段によって前記温水暖房端末装置の運転予約の設定が行われると、その予約情報に基づいて、前記熱源操作手段が、前記温水暖房端末装置の運転または停止の制御を行うようになっている請求項１または２に記載の温水暖房システム。
【請求項４】
前記端末操作手段または前記熱源操作手段によって前記温水暖房端末装置の運転予約の設定が行われると、その予約情報が前記熱源操作手段の予約情報記憶手段に保存されるようになっている請求項３に記載の温水暖房システム。
【発明の詳細な説明】
【０００１】
【発明の属する技術分野】
この発明は、温水暖房熱源機によって生成された温水を利用して暖房を行う温水暖房システムに関する。
【０００２】
【従来の技術】
浴室や居室を暖房する暖房システムとしては、例えば、屋外に設置された温水暖房熱源機と、浴室内に設置された浴室暖房乾燥機や居室内に設置されたファンコンベクタ、温水式床暖房フロア等の温水暖房端末装置とを配管で接続し、温水暖房熱源機によって生成された温水を温水暖房端末装置に循環供給するようにした温水暖房システムがあり、屋外に設置される温水暖房熱源機を操作するための操作リモコンは、通常、台所に設置されると共に、それぞれの温水暖房端末装置を操作するための操作リモコンや操作パネル等は、各温水暖房端末装置が設置される部屋に設けられている。従って、こういった温水暖房システムでは、温水暖房熱源機の発停操作を台所で、各温水暖房端末装置の発停操作をそれぞれの部屋で行うことになる。
【０００３】
また、上述したような温水暖房システムでは、ある時刻になると、特定の部屋の暖房を自動的に開始したり、停止したりすることができるように、各温水暖房端末装置が予約運転を行うことができるようになっているものがあり、こういった温水暖房システムにおける各温水暖房端末装置の運転予約の設定は、各温水暖房端末装置が設置されている部屋に設けられた各温水暖房端末装置の操作リモコンや操作パネル等によって行うようになっている。
【０００４】
【特許文献１】
特開平１１−１４８６５８号公報
【０００５】
【発明が解決しようとする課題】
ところで、温水暖房熱源機として、給湯機能や自動お湯張り機能、追焚機能等を兼ね備えた複合給湯器を使用した温水暖房システムでは、浴槽に対して自動お湯張りを行いながら、浴室暖房乾燥機によって浴室内を暖房することができるので、例えば、ある時刻になると、浴槽への自動お湯張りと浴室内の暖房とが同時に開始されるように、温水暖房熱源機及び浴室暖房乾燥機の双方に対して運転予約を行おうとすると、複合給湯器による自動お湯張りの運転予約については、台所に設置されている操作リモコンによって、また、浴室暖房乾燥機の運転予約については、浴室内で、ワイヤレスリモコン等を用いて設定するといった具合に、温水暖房熱源機と浴室暖房乾燥機の運転予約をそれぞれ異なる場所において設定しなければならず、運転予約の設定作業が繁雑になるといった問題がある。
【０００６】
また、子供やお年寄りのように、自分の部屋に設置されているファンコンベクタ等の温水暖房端末装置に対する運転予約の設定を自ら行うことができないような場合は、彼らに代わって母親等の代行者が運転予約の設定を行うことになるが、例えば、子供部屋及びお年寄りの部屋のそれぞれに設置された温水暖房端末装置に対して運転予約を行う場合、代行者は、それぞれの部屋まで行って、その部屋に設けられている、温水暖房端末装置の操作リモコンや操作パネル等によって、運転予約の設定を行わなければならず、非常に使い勝手が悪いといった問題もある。
【０００７】
そこで、この発明の課題は、温水暖房端末装置に対する運転予約の設定作業性に優れた、使い勝手のよい温水暖房システムを提供することにある。
【０００８】
【課題を解決するための手段及びその効果】
上記の課題を解決するため、請求項１にかかる発明は、所定の室内に設置される温水暖房端末装置と、前記温水暖房端末装置に温水を供給する温水暖房熱源機と、前記温水暖房端末装置を操作すると共に、前記温水暖房端末装置の運転予約の設定またはその解除を行う端末操作手段と、前記温水暖房熱源機を操作する熱源操作手段とを備えた温水暖房システムにおいて、前記熱源操作手段によって、前記温水暖房端末装置の運転予約の設定またはその解除を行うことができるようにしたことを特徴とする温水暖房システムを提供するものである。
【０００９】
以上のように、この温水暖房システムでは、端末操作手段だけでなく、熱源操作手段によっても、温水暖房端末装置の運転予約の設定またはその解除を行うことができるようにしたため、例えば、浴槽への自動お湯張り機能を有する複合給湯器を温水暖房熱源機として使用している場合において、温水暖房熱源機（複合給湯器）による浴槽への自動お湯張り運転と、温水暖房端末装置である浴室暖房乾燥機による浴室内の暖房運転とを同時に開始させるような場合、温水暖房熱源機（複合給湯器）及び温水暖房端末装置（浴室暖房乾燥機）に対する運転予約の設定を、熱源操作手段によって一括して行うことができ、温水暖房端末装置の運転予約の設定を、温水暖房端末装置が設置されている部屋に設けられた端末操作手段でしか行うことができなかった従来の温水暖房システムに比べて、運転予約の設定作業性や使い勝手が向上する。
【００１０】
また、請求項３にかかる発明の温水暖房システムのように、前記端末操作手段または前記熱源操作手段によって前記温水暖房端末装置の運転予約の設定が行われると、その予約情報に基づいて、前記熱源操作手段が、前記温水暖房端末装置の運転または停止の制御を行うようになっているものにあっては、運転開始時刻または運転停止時刻かどうかを判断するための時計機能を温水暖房端末装置の端末操作手段に持たせる必要がないので、廉価な端末操作手段を使用することができると共に、温水暖房熱源機及び温水暖房端末装置の双方が、同一の時計に従って、運転動作や運転停止動作を行うことになるので、双方の運転タイミングや運転停止タイミングにずれが生じることがないという効果も得られる。
【００１１】
特に、請求項４にかかる発明の温水暖房システムのように、前記端末操作手段または前記熱源操作手段によって前記温水暖房端末装置の運転予約の設定が行われると、その予約情報が前記熱源操作手段の予約情報記憶手段に保存されるようになっているものにあっては、端末操作手段によって温水暖房端末装置の運転予約の設定が行われた場合でも、温水暖房端末装置の運転開始時刻や運転停止時刻等の予約情報を得るために、熱源操作手段と端末操作手段とが、所定の時間間隔（例えば、５秒間隔）で、通信を行う必要がないので、温水暖房熱源機と熱源操作手段との間で通信障害が発生しにくく、給湯機能等を兼ね備えた複合給湯器を温水暖房熱源機として使用した場合であっても、温水暖房熱源機（複合給湯器）の給湯機能等に影響を与えることなく、温水暖房端末装置の予約運転を確実に実行することができる。
【００１２】
【発明の実施の形態】
以下、実施の形態について図面を参照して説明する。図１に示すように、この温水暖房システム１は、屋外に設置された温水暖房熱源機１０と、この温水暖房熱源機１０によって生成された温水を利用して、１階居間Ｒ１、２階寝室Ｒ２及び浴室Ｒ３をそれぞれ暖房する温水暖房端末装置２０、３０、４０とを備えており、温水暖房熱源機１０と、各温水暖房端末装置２０、３０、４０とが、温水循環経路を形成する温水配管ＨＰによってそれぞれ接続されている。
【００１３】
前記温水暖房熱源機１０は、暖房機能の他、シャワーやカラン等への給湯機能、浴室Ｒ３内に設置された浴槽に対する自動お湯張り機能や追焚機能を兼ね備えた複合給湯器であり、本発明の熱源操作手段に相当する、台所に設置された熱源機操作リモコン１１によって、遠隔操作することができるようになっている。なお、温水暖房熱源機１０には、その運転動作を制御する熱源機制御部１０ａと、通信系として電源重畳信号伝送方式により前記熱源機操作リモコン１１と通信を行う電源重畳通信手段（第１の通信手段）及びこの電源重畳通信手段（第１の通信手段）とは異なる通信方式によって、温水暖房端末装置２０、３０、４０と双方向通信を行う通信手段（第２の通信手段）とが搭載されており、熱源機制御部１０ａが、電源重畳通信手段（第１の通信手段）及び電源に信号を重畳して伝送する二芯通信線ＣＬ１を介して、熱源機操作リモコン１１の熱源機操作リモコン制御部１１ａと相互に通信可能に接続されている。
【００１４】
前記熱源機操作リモコン１１は、時計機能を備えており、図２に示すように、運転スイッチ１２と、給湯設定温度等の熱源機関連情報や時刻等を表示する表示部１３と、各種設定画面を表示させるための設定ボタン１４と、各設定画面において、設定温度等を入力したり、設定項目を選択したりするための入力選択ボタン１５ａ、１５ｂと、浴槽への自動お湯張りを行うための「ふろ自動」ボタン１６とが設けられている。
【００１５】
前記温水暖房端末装置２０、３０、４０は、それぞれ温水式床暖房フロア、ファンコンベクタ、浴室暖房乾燥機であり、それぞれが設置されている１階居間Ｒ１、２階寝室Ｒ２及び浴室Ｒ３に設けられた、本発明の端末操作手段に相当する温水暖房端末操作リモコン２１、３１、４１によって、それぞれの発停操作を行うことができるようになっている。なお、温水暖房端末装置（浴室暖房乾燥機）４０を操作する温水暖房端末操作リモコン４１は、ワイヤレスリモコンであり、浴室Ｒ３の壁面等に着脱自在に取り付けられている。
【００１６】
また、温水暖房端末装置２０、３０、４０には、それぞれの運転動作を制御する温水暖房端末制御部２０ａ、３０ａ、４０ａが搭載されており、この温水暖房端末制御部２０ａ、３０ａ、４０ａは、前記通信手段（第２の通信手段）及び双方向通信用の通信線ＣＬ２を介して、温水暖房熱源機１０と相互に通信可能に接続されていると共に、温水暖房端末制御部２０ａ、３０ａは、双方向に信号を伝達する制御線ＳＬを介して、温水暖房端末操作リモコン２１、３１の温水暖房端末操作リモコン制御部２１ａ、３１ａに接続されている。
【００１７】
前記温水暖房熱源機１０は、予め設定した時刻に浴槽への自動お湯張りを開始する予約運転が可能であり、こういった予約運転を行う場合は、熱源機操作リモコン１１によって、運転予約の設定を行うことになる。なお、一旦設定された運転予約は、熱源機操作リモコン１１によって、解除することができることはいうまでもない。
【００１８】
また、温水暖房端末装置２０、３０、４０は、予め設定した時間帯において、自動的に暖房を行う予約運転が可能であり、こういった予約運転を行うための運転予約の設定は、それぞれの温水暖房端末操作リモコン２１、３１、４１だけでなく、温水暖房熱源機１０の熱源機操作リモコン１１によっても行うことができるようになっている。なお、一旦設定された運転予約は、温水暖房端末操作リモコン２１、３１、４１または熱源機操作リモコン１１のいずれによっても、解除することができるようになっている。
【００１９】
例えば、温水暖房熱源機１０の熱源機操作リモコン１１によって、温水暖房端末装置（浴室暖房乾燥機）４０の運転予約の設定を行う場合は、まず、熱源機操作リモコン１１の運転スイッチ１２を「入」にした状態で、図３（ａ）に示すように、設定ボタン１４を押すことによって「暖房」に切り換えると、表示部１３に暖房表示画面が表示される。
【００２０】
ここで、入力選択ボタン１５ｂを押して「予約」を選択すると、同図（ｂ）に示すように、温水暖房端末装置の略称（この場合、端末１：１Ｆ居間、端末２：２Ｆ寝室、端末３：浴室暖房）が表示部１３に表示されるので、入力選択ボタン１５ｂを押すことによって「端末３：浴室暖房」を選択する（同図（ｃ）参照）。なお、表示部１３には、温水暖房端末装置の略称が２つしか表示されないので、３以上の温水暖房端末装置が設置されている場合は、入力選択ボタン１５ｂを押して表示画面をスクロールさせることにより、運転予約の設定を行おうとする温水暖房端末装置の略称を表示部１３に表示させて選択することになる。
【００２１】
続いて、設定ボタン１４を押すと、同図（ｄ）に示すように、暖房運転を行う時間帯を設定するための運転時間帯設定画面が表示部１３に表示されるので、同図（ｅ）に示すように、入力選択ボタン１５ｂを繰り返し押すことによって、切カーソル（□）を運転開始時間帯（この場合、ＡＭ７〜８）まで移動させた後、同図（ｆ）に示すように、入力選択ボタン１５ａを繰り返し押すことによって、運転開始時間帯まで入カーソル（■）を移動させると、運転開始時間帯〜運転停止時間帯（この場合、ＡＭ７〜９）までの間の運転予約が完了する。
【００２２】
なお、ここで、設定ボタン１４を押すと、同図（ｃ）に示すような温水暖房端末装置の略称表示に切り替わるので、入力選択ボタン１５ａ、１５ｂによって他の温水暖房端末装置の略称を選択し、同様の設定作業を繰り返すことによって、引き続き、他の温水暖房端末装置に対する運転予約の設定を行うことができる。
【００２３】
このようにして、温水暖房熱源機１０の熱源機操作リモコン１１によって、温水暖房端末装置２０、３０、４０の運転予約の設定を行った場合は、設定された予約情報が、熱源機操作リモコン１１の予約情報記憶手段１１ｂに保存される。一方、温水暖房端末装置２０、３０、４０の温水暖房端末操作リモコン２１、３１、４１によって、温水暖房端末装置２０、３０、４０の運転予約の設定を行った場合は、設定された予約情報が、前記通信手段（第２の通信手段）により、温水暖房端末操作リモコン２１、３１、４１の温水暖房端末操作リモコン制御部２１ａ、３１ａ、４１ａから、通信線ＣＬ２を介して、温水暖房熱源機１０に送信される。このようにして、温水暖房熱源機１０に送信された予約情報は、電源重畳通信手段（第１の通信手段）に中継転送され、電源重畳通信手段により、二芯通信線ＣＬ１を介して、熱源機操作リモコン１１の熱源機操作リモコン制御部１１ａに送信され、熱源機操作リモコン１１の予約情報記憶手段１１ｂに保存されるようになっている。
【００２４】
従って、温水暖房端末操作リモコン２１、３１、４１または熱源機操作リモコン１１によって温水暖房端末装置２０、３０、４０の運転予約の設定が行われると、熱源機操作リモコン１１の予約情報記憶手段１１ｂに保存された予約情報に基づいて、熱源機操作リモコン１１の熱源機操作リモコン制御部１１ａから、二芯通信線ＣＬ１、電源重畳通信手段（第１の通信手段）、通信手段（第２の通信手段）及び通信線ＣＬ２を介して、温水暖房端末装置２０、３０、４０の温水暖房端末制御部２０ａ、３０ａ、４０ａに運転指令または運転停止指令（以下、発停指令という）が送信され、この発停指令に従って、温水暖房端末装置２０、３０、４０が暖房運転を行うようになっている。
【００２５】
以上のように、この温水暖房システム１では、温水暖房端末操作リモコン２１、３１、４１だけでなく、熱源機操作リモコン１１によっても、温水暖房端末装置２０、３０、４０の運転予約の設定またはその解除を行うことができるようにしたため、例えば、温水暖房熱源機１０による浴槽への自動お湯張り運転と、温水暖房端末装置（浴室暖房乾燥機）４０による浴室Ｒ３内の暖房運転とを同時に開始させるような場合、温水暖房熱源機１０と温水暖房端末装置（浴室暖房乾燥機）４０の双方に対する運転予約の設定を、台所に設置されている温水暖房熱源機１０の熱源機操作リモコン１１によって一括して行うことができるので、温水暖房端末装置の運転予約の設定を、温水暖房端末装置が設置されている部屋に設けられた温水暖房端末操作リモコンでしか行うことができなかった従来の温水暖房システムに比べて、運転予約の設定作業性や使い勝手が向上する。
【００２６】
また、この温水暖房システム１では、温水暖房端末装置２０、３０、４０の運転予約が、温水暖房端末操作リモコン２１、３１、４１によって設定されたか、熱源機操作リモコン１１によって設定されたかに拘わらず、温水暖房熱源機１０の熱源機操作リモコン１１が、設定された予約情報に基づいて、温水暖房端末装置２０、３０、４０の温水暖房端末制御部２０ａ、３０ａ、４０ａに発停指令を送信するようになっているので、予約された運転時間帯かどうかを判断するための時計機能を温水暖房端末操作リモコン２１、３１、４１に持たせる必要がなく、温水暖房熱源機１０及び温水暖房端末装置２０、３０、４０の双方が、同一の時計に従って、運転動作や運転停止動作を行うことになるので、双方の運転タイミングや運転停止タイミングにずれが生じることもない。
【００２７】
また、この温水暖房システム１では、温水暖房端末操作リモコン２１、３１、４１によって温水暖房端末装置２０、３０、４０の運転予約の設定が行われた場合でも、その予約情報を温水暖房熱源機１０の熱源機操作リモコン１１に保存するようにしたため、予約情報に基づいて温水暖房端末装置２０、３０、４０に発停指令を送信する熱源機操作リモコン１１が、運転時間帯等の予約情報を得るために、温水暖房端末操作リモコン２１、３１、４１との間で頻繁に通信を行う必要がなく、温水暖房熱源機１０と熱源機操作リモコン１１との間で通信障害が発生しにくくなるので、温水暖房熱源機１０の給湯機能や自動お湯張り機能等に影響を与えることなく、温水暖房端末装置２０、３０、４０の予約運転を確実に実行することができる。
【００２８】
なお、上述した実施形態では、温水暖房端末装置２０、３０、４０に対して設定された予約情報が、温水暖房熱源機１０の熱源機操作リモコン１１に保存されるようになっているが、これに限定されるものではなく、例えば、温水暖房端末装置２０、３０、４０に対して設定された予約情報を、それぞれの温水暖房端末操作リモコン２１、３１、４１に保存するようにしたり、温水暖房端末操作リモコン２１、３１、４１によって温水暖房端末装置２０、３０、４０の運転予約の設定が行われた場合は、その予約情報を温水暖房端末操作リモコン２１、３１、４１に保存し、熱源機操作リモコン１１によって温水暖房端末装置２０、３０、４０の運転予約の設定が行われた場合は、その予約情報を熱源機操作リモコン１１に保存するようにしてもよい。
【００２９】
また、上述した実施形態では、熱源機操作リモコン１１の熱源機操作リモコン制御部１１ａが、設定された予約情報に基づいて、温水暖房端末装置２０、３０、４０に発停指令を送信するようにしているが、これに限定されるものではなく、温水暖房端末操作リモコン２１、３１、４１の温水暖房端末操作リモコン制御部２１ａ、３１ａ、４１ａが、設定されたそれぞれの予約情報に基づいて、温水暖房端末装置２０、３０、４０に発停指令を送信するようにしてもよい。ただし、その場合は、温水暖房端末操作リモコン２１、３１、４１に時計機能を持たせなければならないことはいうまでもない。
【００３０】
また、上述した実施形態では、異なる部屋に設置された複数の温水暖房端末装置を有する温水暖房システムについて説明したが、これに限定されるものではなく、例えば、温水暖房端末装置が、浴室に設置された浴室暖房乾燥機のみである場合のように、一の温水暖房端末装置のみを有する温水暖房システムについても、本発明を適用することができることはいうまでもない。
【００３１】
また、上述した実施形態では、温水暖房熱源機１０として、暖房機能だけでなく、給湯機能や自動お湯張り機能等を兼ね備えた複合給湯器を使用しているが、これに限定されるものではなく、暖房専用の熱源機を使用することも可能である。このように、暖房専用の熱源機を使用した温水暖房システムでは、例えば、母親等の代行者が、子供部屋やお年寄りの部屋のそれぞれに設置された温水暖房端末装置に対して運転予約の設定を行う場合、それぞれの部屋まで行く必要がなく、温水暖房熱源機１０の熱源機操作リモコン１１によって一括して運転予約の設定を行うことができるので、そのような場合に有効である。
【００３２】
また、上述した実施形態では、温水暖房端末装置の運転予約の設定を行う際、予約したい運転時間帯を順次選択するようになっているが、これに限定されるものではなく、例えば、運転開始時刻や運転停止時刻を直接入力させるようにしてもよい。
【図面の簡単な説明】
【図１】この発明にかかる温水暖房システムの一実施形態を示す概略構成図である。
【図２】同上の温水暖房システムに使用される温水暖房熱源機の熱源機操作リモコンを示す正面図である。
【図３】（ａ）〜（ｆ）は同上の熱源機操作リモコンの表示部に表示される、温水暖房端末装置の運転予約の設定画面を示す図である。
【符号の説明】
１　温水暖房システム
１０　温水暖房熱源機
１０ａ　熱源機制御部
１１　熱源機操作リモコン（熱源操作手段）
１１ａ　熱源機操作リモコン制御部
１１ｂ　予約情報記憶手段
２０、３０、４０　温水暖房端末装置
２０ａ、３０ａ、４０ａ　温水暖房端末制御部
２１、３１、４１　温水暖房端末操作リモコン（端末操作手段）
２１ａ、３１ａ、４１ａ　温水暖房端末操作リモコン制御部
ＣＬ１　二芯通信線
ＣＬ２　通信線
ＨＰ　温水配管
【図１】
2004101046.tif 000003
【図２】
2004101046.tif 000004
【図３】
2004101046.tif 000005